(57)【要約】【課題】見守られる者の心の健康状態を見守る生活見守り装置１を提供する。【解決手段】訪問施設判断部１２は、見守られる者が外出する時に使用する車両２から送信される車両２の位置情報に基づいて、見守られる者が外出して訪問する施設を判断する。そして、社会的交流度算出部１３は、判断した施設に基づいて見守られる者の社会的交流度を算出する。社会的交流度送信部１４は、社会的交流度をを見守る者が所有する情報通信端末３へ送信する。【選択図】図１
2014067138.tif 000002
【特許請求の範囲】
【請求項１】
見守られる者が外出する時に使用する車両から送信される前記車両の位置情報を受信する位置情報受信部と、
前記位置情報受信部が受信した前記車両の位置情報に基づいて、前記見守られる者が外出して訪問する施設を判断する訪問施設判断部と、
前記訪問施設判断部が判断した施設に基づいて、前記見守られる者の社会的交流度を算出する社会的交流度算出部と、
前記社会的交流度算出部が算出した前記見守られる者の社会的交流度を、前記見守られる者を見守る者へ送信する社会的交流度送信部と
を備えることを特徴とする生活見守り装置。
【請求項２】
前記社会的交流度算出部は、前記施設までの移動距離が長いほど、或いは前記施設を訪問する頻度が低いほど、前記社会的交流度を高く算出することを特徴とする請求項１に記載の生活見守り装置。
【請求項３】
前記訪問施設判断部は、前記見守られる者が外出して訪問する施設を、少なくとも、見守られる者が社会的に交流する可能性がある交流カテゴリと、社会的に交流する必要がない生活基盤を成す他の生活基盤カテゴリとに分類し、
前記社会的交流度算出部は、前記訪問施設判断部が分類したカテゴリに応じて、記見守られる者の社会的交流度を算出する
ことを特徴とする請求項２に記載の生活見守り装置。
【請求項４】
前記位置情報受信部は他の車両から送信される位置情報を受信し、
前記生活見守り装置は、
他の車両から送信される位置情報を時刻に関連づけて記憶する他車両情報記憶部と、
前記他車両情報記憶部が記憶する他の車両の位置情報に基づいて、前記車両と同時に同じ施設に滞在する他の車両を判断する同期車両判断部と、を更に備え、
前記社会的交流度算出部は、前記同期車両判断部が判断した前記他の車両が前記車両と同時に同じ施設に滞在する頻度を集計する同期頻度集計部を備え、前記訪問施設判断部が判断した施設及び前記同期頻度集計部が集計した頻度に基づいて、前記見守られる者の社会的交流度を算出する
ことを特徴とする請求項１〜３のいずれか一項に記載の生活見守り装置。
【請求項５】
前記社会的交流度算出部は、単位期間あたりに前記車両と同時に同じ施設に滞在する前記他の車両の延べ数を、前記社会的交流度として算出することを特徴とする請求項４に記載の生活見守り装置。
【請求項６】
前記社会的交流度算出部は、単位期間あたりに前記車両と同時に同じ施設に滞在する前記他の車両の延べ数を、前記車両と同時に他の施設に滞在する前記他の車両の延べ数で補正することを特徴とする請求項５に記載の生活見守り装置。
【請求項７】
前記社会的交流度算出部は、公道を走行可能な全車両に対して前記位置情報受信部が位置情報を受信することができる前記他の車両が占める比率により、前記社会的交流度を補正することを特徴とする請求項１〜６のいずれか一項に記載の生活見守り装置。
【請求項８】
見守られる者が外出する時に使用する車両から送信される前記車両の位置情報を受信し、
施設と施設の所在地とを関連づけた地図データを記憶する地図データベースを参照して、受信した前記車両の位置情報に基づいて、前記見守られる者が外出して訪問する施設を判断し、
判断した施設に基づいて、前記見守られる者の社会的交流度を算出し、
算出した前記見守られる者の社会的交流度を、前記見守られる者を見守る者へ送信する
ことを特徴とする生活見守り方法。
【発明の詳細な説明】
【技術分野】
【０００１】
本発明は、生活見守り装置及び生活見守り方法に関するものである。
【背景技術】
【０００２】
要介護者を対象とした監視を含む介護動作を行う介護装置と、携帯可能な情報端末との間で、音声、画像、又はこれらの取得要求データを含む情報を双方向に交換する遠隔介護システムが知られている（特許文献１参照）。
【先行技術文献】
【特許文献】
【０００３】
【特許文献１】特開２０００−３１１２８２号公報
【発明の概要】
【発明が解決しようとする課題】
【０００４】
特許文献１の介護装置は要介護者が居る家の中に設置されるため、特許文献１の遠隔介護システムによれば、家の中における要介護者の生活レベルを確認することができる。しかし、家の外における要介護者の社会的交流度を確認することはできない。
【０００５】
本発明は、上記課題に鑑みて成されたものであり、その目的は、家の外における見守られる者の社会的交流度を算出して遠隔地に居る見守る者に伝達することにより、見守られる者の心の健康状態を見守ることができる生活見守り装置及び生活見守り方法を提供することである。
【課題を解決するための手段】
【０００６】
上記目的を達成するための本発明の一態様は生活見守り装置である。生活見守り装置は、見守られる者が外出する時に使用する車両から送信される車両の位置情報に基づいて、見守られる者が外出して訪問する施設を判断する。そして、生活見守り装置は、判断した施設に基づいて見守られる者の社会的交流度を算出し、社会的交流度をを見守る者へ送信する。
【発明の効果】
【０００７】
本発明に係わる生活見守り装置及び生活見守り方法によれば、家の外における見守られる者の社会的交流度を算出して遠隔地に居る見守る者に伝達することにより、見守られる者の心の健康状態を見守ることができる。
【図面の簡単な説明】
【０００８】
【図１】図１は、本発明の第１実施形態に係わる生活見守り装置を含む生活見守りシステムの全体構成を示すブロック図である。
【図２】図２は、図１の生活見守り装置１の詳細な構成を示すブロック図である。
【図３】図３は、生活見守り装置１が車両２及び他の車両４ａ、４ｂ、・・・から送信される測位データを位置情報記憶部１２１或いは他車両情報記憶部１５に記憶するまでの処理の流れを示すフローチャートである。
【図４】図４は、位置情報記憶部１２１及び他車両情報記憶部１５に記憶されている測位データに基づいて、社会的交流度を算出して情報通信端末３へ向けて送信するまでの処理の流れを示すフローチャートである。
【図５】図５は、施設までの移動距離と見守られる者が施設を訪問する頻度とにより、施設を分類したグラフである。
【図６】図６は、車両２と同期する他の車両４ａ、４ｂ、・・・の数を、同期する頻度及び同期する施設毎に、集計した表である。
【図７】図７は、第２実施形態に係わる、位置情報記憶部１２１及び他車両情報記憶部１５に記憶されている測位データに基づいて、社会的交流度を算出して情報通信端末３へ向けて送信するまでの処理の流れを示すフローチャートである。
【図８】図８は、第２実施形態に係わる、車両２と同期する他の車両４ａ、４ｂ、・・・の延べ数を、同期する頻度及び同期する施設毎に、集計した表である。
【図９】図９は、第３実施形態に係わる、位置情報記憶部１２１及び他車両情報記憶部１５に記憶されている測位データに基づいて、社会的交流度を算出して情報通信端末３へ向けて送信するまでの処理の流れを示すフローチャートである。
【図１０】図１０は、第３実施形態に係わる、車両２と同期する他の車両４ａ、４ｂ、・・・の延べ数を、同期する頻度及び同期する施設毎に、集計した表である。
【図１１】図１１は、第４実施形態に係わる、位置情報記憶部１２１及び他車両情報記憶部１５に記憶されている測位データに基づいて、社会的交流度を算出して情報通信端末３へ向けて送信するまでの処理の流れを示すフローチャートである。
【図１２】図１２は、本発明の第５実施形態に係わる生活見守り装置を含む生活見守りシステムの全体構成を示すブロック図である。
【図１３】図１３は、第５実施形態に係わる、位置情報記憶部１２１に記憶されている測位データに基づいて、社会的交流度を算出して情報通信端末３へ向けて送信するまでの処理の流れを示すフローチャートである。
【図１４】図１４は、第５実施形態に係わる、単位期間における訪問回数を、施設毎に集計した表である。
【発明を実施するための形態】
【０００９】
＜第１実施形態＞
以下、図面を参照して本発明の実施形態を説明する。図１を参照して、本発明の第１実施形態に係わる生活見守り装置を含む生活見守りシステムの全体構成を説明する。生活見守りシステムは、通信ネットワークに接続可能な車両の車両情報から、この車両を使用する者（見守られる者）の社会的交流度を算出し、遠隔地に居る者（見守る者）へ伝達する。これにより、生活見守りシステムは、見守られる者のプライバシーを侵すことなく、見守られる者の生活レベルを分かり易い指標（社会的交流度）で見守る者へ呈示する。
【００１０】
生活見守りシステムは、見守られる者が外出する時に使用する車両２と、車両２及び車両２と同様に通信ネットワークに接続可能な他の車両４ａ、４ｂ、・・・から各車両の位置情報を受信して社会的交流度を算出し、遠隔地に居る見守る者が所有する情報通信端末３へ社会的交流度を送信する生活見守り装置１と、遠隔地に居る見守る者が所有する情報通信端末３とを備える。
【００１１】
車両２には、例えば全地球測位システム（ＧＰＳ）を用いて車両２が現在居る位置（緯度経度）を求めて位置情報の一例としての測位データを出力する測位部２１と、測位データを時刻に関連づけて一時的に記憶する測位データ記憶部２２と、測位データ記憶部２２に記憶されている測位データを生活見守り装置１へ送信する送信部２３とが搭載されている。なお、図示は省略するが、通信ネットワークに接続可能な他の車両４ａ、４ｂ、・・・にも、上記した測位部２１、測位データ記憶部２２、及び送信部２３が搭載されている。このようにして、車両２及び他の車両４ａ、４ｂ、・・・の各々は、自車両の位置情報の一例としての測位データを求めて生活見守り装置１へ伝達する。
【００１２】
生活見守り装置１は、時刻に関連づけられた車両２及び他の車両４ａ、４ｂ、・・・の測位データを受信する位置情報受信部１１と、位置情報受信部１１が受信した車両２の測位データに基づいて、見守られる者が外出して訪問する施設を判断する訪問施設判断部１２と、訪問施設判断部１２が判断した施設に基づいて、見守られる者の社会的交流度を算出する社会的交流度算出部１３と、社会的交流度算出部１３が算出した見守られる者の社会的交流度を、見守られる者を見守る者へ送信する社会的交流度送信部１４と、を備える。
【００１３】
生活見守り装置１は、更に、他の車両４ａ、４ｂ、・・・から送信される位置情報を時刻に関連づけて記憶する他車両情報記憶部１５と、他車両情報記憶部１５が記憶する他の車両４ａ、４ｂ、・・・の位置情報に基づいて、車両２と同時に同じ施設に滞在する他の車両４ａ、４ｂ、・・・を判断する同期車両判断部１６と、を備える。
【００１４】
社会的交流度算出部１３は、同期車両判断部１６が判断した他の車両４ａ、４ｂ、・・・が車両２と同時に同じ施設に滞在する頻度を集計し、訪問施設判断部１２が判断した施設、及び集計した頻度に基づいて、見守られる者の社会的交流度を算出する。
【００１５】
情報通信端末３は、社会的交流度送信部１４から送信される見守られる者の社会的交流度をインターネットなどの通信ネットワークを介して受信する受信部３１と、受信した社会的交流度を表示する表示部３２とを備える。これにより、情報通信端末３を所有する見守る者は、見守られる者の生活レベルを、遠隔地においても確認することができる。
【００１６】
図２を参照して、図１の生活見守り装置１の詳細な構成を説明する。訪問施設判断部１２は、位置情報記憶部１２１と、停留位置判断部１２２と、位置照合分類部１２３と、地図データベース１２４とを備える。また、社会的交流度算出部１３は、同期車両ＩＤ記憶部１３１と、同期頻度集計部１３２と、交流度指標算出部１３３とを備える。
【００１７】
位置情報受信部１１は、車両２及び他の車両４ａ、４ｂ、・・・の各々から一定の時間間隔で送信される測位データを受信する。位置情報記憶部１２１は、位置情報受信部１１により受信された測位データを、時刻情報に関連づけて（タイムスタンプ付きで）一時的に記録する。よって、測位データは、位置情報記憶部１２１に時系列データとして保存される。
【００１８】
停留位置判断部１２２は、位置情報記憶部１２１から車両２の測位データを読み出し、時系列に並べられた測位データから、車両２の移動状態及び停留状態を判断する。つまり、車両２がしきい時間以上、同じ位置に留まっている場合、車両２が停留状態にあると判断し、車両２がしきい時間以上、同じ位置に留まっていない場合、車両２の移動状態と判断する。そして、停留位置判断部１２２は、停留状態における車両２の位置情報（緯度経度）を特定し、位置照合分類部１２３へ送信する。停留位置判断部１２２は、しきい時間を調整することにより、移動途中における一時的な停車及び駐車状態と、見守られる者が外出して訪問する施設に到達している状態とを区別する。停留位置判断部１２２は、停留状態にある日時（停留日時）を、見守られる者が施設に滞在している日時として抽出する。
【００１９】
位置照合分類部１２３は、地図データベース１２４を参照して、停留状態における車両２の測位データに合致する施設を、見守られる者が外出して訪問する施設として特定する。地図データベース１２４は、施設と施設の所在地（緯度経度）とを関連づけた地図データを記憶する。
【００２０】
また、位置照合分類部１２３は、特定された施設を、少なくとも、見守られる者が社会的に交流する可能性がある交流カテゴリと、社会的に交流する必要がない生活基盤を成す生活基盤カテゴリとに分類する。交流カテゴリには、例えば、行きつけでない店、公園、レジャー施設、友人宅、公民館、コミュニティセンタ、碁会所、ゴルフ場、が含まれる。生活基盤カテゴリには、行きつけのスーパー、コンビニエンスストア、病院、役所、郵便局、銀行、が含まれる。位置照合分類部１２３は、特定された施設を示す施設ＩＤと、分類されたカテゴリ情報とを、時刻情報に関連づけて（タイムスタンプ付きで）同期車両判断部１６へ送信する。
【００２１】
ここで、社会的交流度算出部１３が算出する社会的交流度は、見守られる者が外出して訪問する施設、或いは施設が属するカテゴリに応じて変化する。施設までの移動距離が長いほど、社会的交流度は高くなる。また、施設を訪問する頻度が低いほど、社会的交流度は高くなる。図５は、施設までの移動距離と施設を訪問する頻度とにより、施設を分類したグラフである。点線で囲んだ部分ＨＰＳは、施設までの移動距離が長く且つ施設を訪問する頻度が低い領域であり、この領域に属する友人宅、コミュニティセンタ、公園、碁会所、ゴルフ場を含む施設は、社会的交流が行われる可能性が高い施設といえる。
【００２２】
図２に戻り、同期車両判断部１６は、位置照合分類部１２３から転送された停留日時に関連づけた施設ＩＤと、他車両情報記憶部１５に記憶されている他の車両４ａ、４ｂ、・・・の測位データとから、停留時間に略一致して同じ施設に滞在している他の車両４ａ、４ｂ、・・・を検索する。他の車両４ａ、４ｂ、・・・の測位データには時刻が関連づけてある。よって、同期車両判断部１６は、車両２の停留日時と他の車両４ａ、４ｂ、・・・の測位データとから、車両２と同時に同じ施設に滞在する他の車両４ａ、４ｂ、・・・を検索することができる。
【００２３】
同期車両ＩＤ記憶部１３１は、同期車両判断部１６により検索された、つまり、車両２と同時に同じ施設に滞在する他の車両４ａ、４ｂ、・・・を示す車両ＩＤを、施設ＩＤ、停留日時、及びカテゴリ情報に関連づけた上で記憶する。
【００２４】
同期頻度集計部１３２は、集計対象となる単位期間における、車両ＩＤ、施設ＩＤ、停留日時、及びカテゴリ情報を同期車両ＩＤ記憶部１３１から読み出し、施設ＩＤ毎に、車両２と同時に同じ施設に滞在する他の車両４ａ、４ｂ、・・・の数を集計する。なお、「車両２と同時に同じ施設に滞在する」ことを「車両２と同期する」と表記する。単位期間としては、現在（集計時）から１ヶ月、３ヶ月、半年、１年・・・遡る期間、過去の特定の期間、が例示される。
【００２５】
また、同期頻度集計部１３２は、車両２と同期する他の車両４ａ、４ｂ、・・・の数を、同期する頻度に応じて分類する。
【００２６】
交流度指標算出部１３３は、同期頻度集計部１３２により集計された他の車両４ａ、４ｂ、・・・の数から、社会的交流度を算出する。算出された社会的交流度は、社会的交流度送信部１４から情報通信端末３へ向けて送信される。社会的交流度は、見守られる者がコミュニティに参加している度合い、及び見守られる者が特定の人と交流している頻度を、見守る者にとって分かり易く示す指標である。
【００２７】
図３を参照して、生活見守り装置１が車両２及び他の車両４ａ、４ｂ、・・・から送信される位置情報を位置情報記憶部１２１或いは他車両情報記憶部１５に記憶するまでの処理の流れを説明する。図３に示す処理は、後述する図４に示す処理とは別に独立して実施される。また、図３に示す処理は、車両２及び他の車両４ａ、４ｂ、・・・の各々から送信される測位データを受信する度に、実施される。先ず、ステップＳ１０５において、位置情報受信部１１は、車両２及び他の車両４ａ、４ｂ、・・・の各々から受信した測位データを読み込む。そして、ステップＳ１１０において、位置情報記憶部１２１は、車両２から受信した測位データを、車両２を示す車両ＩＤ及び時刻情報と関連づけて記憶する。一方、他車両情報記憶部１５は、他の車両４ａ、４ｂ、・・・の各々から受信した測位データを、他の車両４ａ、４ｂ、・・・の各々を示す車両ＩＤ及び時刻情報と関連づけて記憶する。
【００２８】
図４を参照して、位置情報記憶部１２１及び他車両情報記憶部１５に記憶されている位置情報に基づいて、社会的交流度を算出して情報通信端末３へ向けて送信するまでの処理の流れを説明する。図４に示す処理は、情報通信端末３からリクエストを受信する度に実施することができる。或いは、情報通信端末３からのリクエストよらず、定期的に実施しても構わない。
【００２９】
ステップＳ２０５において、位置情報記憶部１２１は、車両２の測位データを読み込み、時系列データとして取り出す。ステップＳ２１０に進み、停留位置判断部１２２は、時系列に並べられた測位データから、停留状態における車両２の測位データ及び停留日時を判断する。
【００３０】
ステップＳ２１５に進み、停留位置判断部１２２は、停留状態における車両２の緯度経度を求める。ステップＳ２２０に進み、位置照合分類部１２３は、地図データベース１２４を参照して、停留状態における車両２の測位データに合致する施設を、見守られる者が外出して訪問する施設として特定する。ステップＳ２２５に進み、位置照合分類部１２３は、特定された施設を、少なくとも、見守られる者が社会的に交流する可能性がある交流カテゴリと、社会的に交流する必要がない生活基盤を成す他の生活基盤カテゴリとに分類する。
【００３１】
ステップＳ２３０に進み、同期車両判断部１６は、地図データベース１２４を参照して、車両２と同期する他の車両４ａ、４ｂ、・・・を検索する。ステップＳ２３５に進み、同期車両ＩＤ記憶部１３１は、同期車両判断部１６により検索された他の車両４ａ、４ｂ、・・・を示す車両ＩＤ、施設ＩＤ、停留日時、及びカテゴリ情報を記憶する。
【００３２】
ステップＳ２４０に進み、同期車両ＩＤ記憶部１３１は、車両ＩＤ、施設ＩＤ、停留日時、及びカテゴリ情報を読み込む。ステップＳ２４５に進み、同期頻度集計部１３２は、施設ＩＤ毎に、車両２と同期する他の車両４ａ、４ｂ、・・・の数を集計する。また、同期頻度集計部１３２は、車両２と同期する他の車両４ａ、４ｂ、・・・の数を、同期する頻度に応じて分類する。
【００３３】
ステップＳ２５０に進み、交流度指標算出部１３３は、交流カテゴリに属する施設において、同期する頻度が５０％以上となる他の車両４ａ、４ｂ、・・・の数を集計する。ステップＳ２９０に進み、社会的交流度送信部１４は、集計された他の車両４ａ、４ｂ、・・・の数を、社会的交流度として情報通信端末３へ向けて送信する。
【００３４】
図６を参照して、同期頻度集計部１３２による集計方法及び交流度指標算出部１３３による社会的交流度の算出方法について説明する。図６は、車両２と同期する他の車両４ａ、４ｂ、・・・の数を、同期する頻度及び同期する施設毎に、集計した表である。同期頻度集計部１３２は、図４のステップＳ２４５において、例えば図６に示す表を作成する。図６の行方向は同期する頻度ａ１〜ａ６で区分し、図６の列方向は同期する施設で区分している。更に、列方向は、各施設が属するカテゴリ毎に区分している。また、ｎ１〜ｎ６、ｍ１〜ｍ３は、それぞれ、予め定めた単位期間において車両２が訪問した訪問回数を施設毎に示す。例えば、車両２は、単位期間において公民館をｎ１回滞在している。公民館へのｎ１回の滞在のうち、５０％以上６０％未満の頻度ａ３で、車両２と同期する他の車両４ａ、４ｂ、・・・の数は、ｋ３１である。
【００３５】
交流度指標算出部１３３は、図４のステップＳ２５０において、交流カテゴリに属する施設で、車両２と同期する頻度が５０％以上となる他の車両４ａ、４ｂ、・・・の数を集計する。具体的には、交流度指標算出部１３３は、（１）式に示す計算式により、交流カテゴリに属する施設において、頻度ａ１、ａ２、ａ３に区分される他の車両４ａ、４ｂ、・・・の数を合算して、社会的交流度ＹＭＮ１を算出する。
【数１】
2014067138.tif 000003
【００３６】
以上説明したように、本発明の第１実施形態によれば、以下の作用効果が得られる。
【００３７】
訪問施設判断部１２は、見守られる者が外出する時に使用する車両２から送信される車両２の位置情報（測位データ）に基づいて、見守られる者が外出して訪問する施設を判断する。そして、社会的交流度算出部１３は、判断した施設に基づいて、見守られる者の社会的交流度を算出して、見守る者へ送信する。これにより、見守られる者が家の外でコミュニティに参加している度合いを、見守る者にとって分かり易い指標を算出して、遠隔地に居る見守る者に伝達することができる。よって、見守る者は、見守られる者のプライバシーを侵害することなく、見守られる者の心の健康状態を安心して見守ることができる。
【００３８】
社会的交流度算出部１３は、施設までの移動距離が長いほど、社会的交流度を高く算出する。具体的には、図５に示したように、移動距離が長い施設を交流カテゴリに分類し、交流カテゴリに属する施設において同期する他の車両４ａ、４ｂ、・・・の数を社会的交流度として算出する。これにより、見守られる者が外出して訪問する施設に応じて、適切な社会的交流度を算出することができる。なお、施設までの移動距離の代わりに、施設を訪問する頻度を用いてもよい。具体的には、社会的交流度算出部１３は、施設を訪問する頻度が低いほど、社会的交流度を高く算出することもできる。
【００３９】
訪問施設判断部１２は、見守られる者が外出して訪問する施設を、少なくとも、見守られる者が社会的に交流する可能性がある交流カテゴリと、社会的に交流する必要がない生活基盤を成す生活基盤カテゴリとに分類する。そして、社会的交流度算出部１３は、訪問施設判断部が分類したカテゴリに応じて、記見守られる者の社会的交流度を算出する。これにより、見守られる者が外出して訪問する施設に応じて、適切な社会的交流度を算出することができる。
【００４０】
同期車両判断部１６は、他の車両４ａ、４ｂ、・・・から送信される位置情報に基づいて、車両２と同時に同じ施設に滞在する他の車両４ａ、４ｂ、・・・を判断する。社会的交流度算出部１３は、同期車両判断部１６が判断した他の車両４ａ、４ｂ、・・・が車両２と同時に同じ施設に滞在する頻度を集計する同期頻度集計部１３２を備え、訪問施設判断部１２が判断した施設及び同期頻度集計部１３２が集計した頻度に基づいて、見守られる者の社会的交流度を算出する。これにより、訪問する施設において特定の人と交流する頻度、及び訪問する施設において交流する特定の人の数を、社会的交流度として算出することができる。よって、見守られる者の心の健康状態を適切に評価することができる。
【００４１】
＜第２実施形態＞
本発明の第２実施形態では、図２の社会的交流度算出部１３が、単位期間あたりに車両２と同時に同じ施設に滞在する他の車両４ａ、４ｂ、・・・の延べ数を、社会的交流度として算出する生活見守り装置を説明する。第２実施形態に係わる生活見守り装置では、社会的交流度算出部１３の構成が図２と異なる。詳細には、図２の同期頻度集計部１３２及び交流度指標算出部１３３の処理動作が、第１実施形態と相違する。その他の構成及び処理動作は図２と同じである。また、第２実施形態に係わる生活見守りシステムの全体構成は、図１と同じである。
【００４２】
また、図７は、第２実施形態に係わる、位置情報記憶部１２１及び他車両情報記憶部１５に記憶されている測位データに基づいて、社会的交流度を算出して情報通信端末３へ向けて送信するまでの処理の流れを示すフローチャートである。図７のフローチャートは、図４と比べて、ステップＳ２４５及びステップＳ２６０における処理動作が異なるが、その他のステップの処理動作は図４と同じである。
【００４３】
図８の表に示すように、同期頻度集計部１３２は、単位期間において車両２と同期する他の車両４ａ、４ｂ、・・・の延べ数を、施設ＩＤ毎に集計する。また、同期頻度集計部１３２は、車両２と同期する他の車両４ａ、４ｂ、・・・の延べ数を、同期する頻度に応じて分類する。
【００４４】
同期頻度集計部１３２は、図７のステップＳ２４５において、例えば図８に示す表を作成する。例えば、車両２は、単位期間において公民館をｎ１回滞在している。公民館へのｎ１回の滞在のうち、５０％以上６０％未満の頻度ａ３で、車両２と同期する他の車両４ａ、４ｂ、・・・の数は、ｋ３１である。ｎ１回に頻度ａ３を乗じることにより、単位期間において車両２が公民館で他の車両４ａ、４ｂ、・・・と同期する回数（ｎ１×ａ３）となる。よって、回数（ｎ１×ａ３）に、他の車両４ａ、４ｂ、・・・の数ｋ３１を乗じることにより、単位期間において公民館で車両２と同期する他の車両４ａ、４ｂ、・・・の延べ数（ｎ１×ａ３×ｋ３１）を算出することができる。
【００４５】
交流度指標算出部１３３は、図７のステップＳ２６０において、交流カテゴリに属する施設で、車両２と同期する頻度が５０％以上となる他の車両４ａ、４ｂ、・・・の延べ数を集計する。具体的には、交流度指標算出部１３３は、（２）式に示す計算式により、交流カテゴリに属する施設において、頻度ａ１、ａ２、ａ３に区分される他の車両４ａ、４ｂ、・・・の延べ数を合算して、社会的交流度ＹＭＮ２を算出する。社会的交流度ＹＭＮ２は、単位期間において所定の頻度（５０％以上）で会う人の延べ人数、すなわち、人同士の結びつきの強さを意味する。
【数２】
2014067138.tif 000004
【００４６】
以上説明したように、本発明の第２実施形態によれば、社会的交流度算出部１３は、単位期間あたりに車両２と同時に同じ施設に滞在する他の車両４ａ、４ｂ、・・・の延べ数を、社会的交流度として算出する。これにより、車両２と同期する他の車両４ａ、４ｂ、・・・の数に対して、同期する頻度に応じた重みづけを行うことができる。よって、見守られる者が特定の人と交流している頻度に応じて、より適切な社会的交流度を算出することができる。
【００４７】
＜第３実施形態＞
本発明の第３実施形態では、社会的交流度算出部１３が、単位期間あたりに車両２と同時に同じ施設に滞在する他の車両４ａ、４ｂ、・・・の延べ数を、車両２と同時に他の施設に滞在する他の車両４ａ、４ｂ、・・・の延べ数で補正する生活見守り装置を説明する。第３実施形態に係わる生活見守り装置では、第２の実施形態に比べて、社会的交流度算出部１３の構成が図２と異なる。詳細には、図２の交流度指標算出部１３３の処理動作が、第２実施形態と相違する。その他の構成及び処理動作は第２実施形態と同じである。また、第３実施形態に係わる生活見守りシステムの全体構成は、図１と同じである。
【００４８】
また、図９は、第３実施形態に係わる、位置情報記憶部１２１及び他車両情報記憶部１５に記憶されている測位データに基づいて、社会的交流度を算出して情報通信端末３へ向けて送信するまでの処理の流れを示すフローチャートである。図９のフローチャートは、図７のステップＳ２６０とステップＳ２９０の間に、ステップＳ２６５及びステップＳ２７０を更に有する。図９のその他のステップの処理動作は図７と同じである。
【００４９】
図９のステップＳ２６５において、同期頻度集計部１３２は、交流カテゴリに属する施設で、車両２と同期する頻度が５０％以上となる他の車両４ａ、４ｂ、・・・の中から、他の施設でも車両２と同期している他の車両４ａ、４ｂ、・・・を検索する。ただし、検索対象となる他の施設は、交流カテゴリに属する施設に限ってもよいし、交流カテゴリ或いは生活基盤カテゴリに属する施設まで広げてもよい。また、他の施設が交流カテゴリに属する施設である場合、検索対象となる頻度は、５０％未満、つまり頻度ａ４〜ａ６の範囲である。
【００５０】
図１０に示す例では、碁会所で頻度ａ２で車両２と同期する他の車両４ａ、４ｂ、・・・の中（破線円ＧＡ）に、ゴルフ場でも頻度ａ５で車両２と同期する他の車両４ａ、４ｂ、・・・（破線円ＧＢ）がｐ台含まれている。
【００５１】
図９のステップＳ２７０において、社会的交流度算出部１３は、（３）式に示すように、交流カテゴリに属する施設で、車両２と同期する頻度が５０％以上となる他の車両４ａ、４ｂ、・・・の延べ数に、同期頻度集計部１３２により検索された、車両２と他の施設で同期する他の車両４ａ、４ｂ、・・・の延べ数を加算する。これにより、社会的交流度算出部１３は、単位期間あたりに車両２と同時に同じ施設に滞在する他の車両４ａ、４ｂ、・・・の延べ数を、車両２と同時に他の施設に滞在する他の車両４ａ、４ｂ、・・・の延べ数で補正する。社会的交流度送信部１４は、補正された他の車両４ａ、４ｂ、・・・の延べ数ＹＭＮ３を、社会的交流度として情報通信端末３へ向けて送信する。
【数３】
2014067138.tif 000005
【００５２】
以上説明したように、社会的交流度算出部１３は、単位期間あたりに車両２と同時に同じ施設に滞在する他の車両４ａ、４ｂ、・・・の延べ数に、車両２と同時に他の施設に滞在する他の車両４ａ、４ｂ、・・・の延べ数で補正する。これにより、異なる施設でも交流している人の数に応じて、より適切な社会的交流度を算出することができる。
【００５３】
＜第４実施形態＞
第４実施形態では、社会的交流度算出部１３が、公道を走行可能な全車両に対して位置情報受信部１１が位置情報を受信することができる他の車両４ａ、４ｂ、・・・が占める比率（以後、「ネットワーク化されている車両比率」という）ρにより、社会的交流度ＹＭＮ１〜ＹＭＮ３を補正する生活見守り装置を説明する。
【００５４】
第４実施形態に係わる生活見守り装置の構成は、社会的交流度算出部１３の構成が図２と異なる。その他の構成及び処理動作は図２と同じである。また、第４実施形態に係わる生活見守りシステムの全体構成は、図１と同じである。
【００５５】
また、図１１は、第４実施形態に係わる、位置情報記憶部１２１及び他車両情報記憶部１５に記憶されている測位データに基づいて、社会的交流度を算出して情報通信端末３へ向けて送信するまでの処理の流れを示すフローチャートである。図１１のフローチャートは、図４と比べて、ステップＳ２５０とステップＳ２９０の間にステップＳ２８０を有する点が相違する。図１１のその他のステップの処理動作は図４と同じである。
【００５６】
図１１のステップＳ２８０において、社会的交流度算出部１３は、（１）式を用いて算出した社会的交流度ＹＭＮ１を、ネットワーク化されている車両比率ρで除する。これにより、社会的交流度算出部１３は、社会的交流度ＹＭＮ１を、ネットワーク化されている車両比率ρを用いて補正することができる。社会的交流度送信部１４は、車両比率ρで補正された社会的交流度ＹＭＮ１を、情報通信端末３へ向けて送信する。なおここでは、第１実施形態で述べた社会的交流度ＹＭＮ１を補正する場合について説明したが、社会的交流度ＹＭＮ１の代わりに、社会的交流度ＹＭＮ２或いは社会的交流度ＹＭＮ３を補正してもよい。
【００５７】
以上説明したように、社会的交流度算出部１３は、ネットワーク化されている車両比率ρにより、社会的交流度ＹＭＮ１〜ＹＭＮ３を補正する。これにより、ネットワーク化されている車両比率ρに応じて、より適切な社会的交流度ＹＭＮ１〜ＹＭＮ３を算出することができる。
【００５８】
＜第５実施形態＞
第５実施形態では、社会的交流度算出部１３が、他の車両４ａ、４ｂ、・・・と車両２との同期を考慮せずに、訪問施設判断部１２が判断した施設に基づいて、見守られる者の社会的交流度を算出する生活見守り装置について説明する。
【００５９】
図１２を参照して、本発明の第５実施形態に係わる生活見守り装置を含む生活見守りシステムの全体構成を説明する。第５実施形態に係わる生活見守りシステムは、図１に比べて、生活見守り装置１の他車両情報記憶部１５及び同期車両判断部１６が無い点が相違するが、その他の構成は同じである。
【００６０】
また、図１３は、第５実施形態に係わる、位置情報記憶部１２１に記憶されている測位データに基づいて、社会的交流度を算出して情報通信端末３へ向けて送信するまでの処理の流れを示すフローチャートである。図１３のフローチャートは、図４のステップＳ２３０〜Ｓ２５０の代わりに、ステップＳ２８２及びステップＳ２８４を有する。図１３のその他のステップの処理動作は図４と同じである。
【００６１】
図１３のステップＳ２８２において、社会的交流度算出部１３は、図１４に示す表のように、単位期間において車両２が施設に滞在した回数を施設毎に集計する。ステップＳ２８４において、社会的交流度算出部１３は、集計した回数に基づいて、見守られる者の社会的交流度を算出する。例えば、交流カテゴリに属する施設に滞在した回数を総て加算する。また、生活基盤カテゴリに属する施設に滞在した回数を総て加算する。そして、交流カテゴリと生活基盤カテゴリとで異なる係数（ｒ、ｓ）をそれぞれの合計回数に乗じ、合算する。これにより、（４）式に示すように、社会的交流度ＹＭＮ４を算出する。
【数４】
2014067138.tif 000006
【００６２】
以上説明したように、第５の実施の形態によれば、生活見守り装置１は、他の車両との同期を考慮することなく、車両２が訪問した施設及び訪問した回数に基づいて、社会的交流度ＹＭＮ４を算出することができる。よって、より簡易な装置構成及びより高速な処理速度によって社会的交流度ＹＭＮ４を算出することができる。
【００６３】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００６４】
本発明における「見守られる者」には、例えば、要介護者、被介護者、高齢者、或いは被監視者が含まれる。「見守る者」には、例えば、介護者或いは監視者が含まれる。
【符号の説明】
【００６５】
１…生活見守り装置
２…車両（見守られる者）
３…情報通信端末（見守る者）
４ａ、４ｂ、・・・…他の車両
１１…位置情報受信部
１２…訪問施設判断部
１３…社会的交流度算出部
１４…社会的交流度送信部
１５…他車両情報記憶部
１６…同期車両判断部
１２４…地図データベース
【図１】
2014067138.tif 000007
【図２】
2014067138.tif 000008
【図３】
2014067138.tif 000009
【図４】
2014067138.tif 000010
【図５】
2014067138.tif 000011
【図６】
2014067138.tif 000012
【図７】
2014067138.tif 000013
【図８】
2014067138.tif 000014
【図９】
2014067138.tif 000015
【図１０】
2014067138.tif 000016
【図１１】
2014067138.tif 000017
【図１２】
2014067138.tif 000018
【図１３】
2014067138.tif 000019
【図１４】
2014067138.tif 000020